(57)【要約】【課題】非純正品の消耗品ユニットを用いての印刷動作を許可するのか、制限するのかを、出荷先の国や地域毎に対応することが可能な画像形成装置等を提供する。【解決手段】記憶手段２９に画像形成装置が出荷される国や地域を示す仕向け情報を記憶しておき、純正・非純正判別手段２６１により装着された消耗品ユニット８Ｙ、８Ｍ、８Ｃ、８Ｋ、１０Ｙ、１０Ｍ、１０Ｃ、１０Ｋが非純正品であると判別され場合には、前記仕向け情報に基づいて、非純正品の消耗品ユニットを用いての作像手段３による印刷動作を許可しあるいは制限する。【選択図】図４
2008268454.tif 000002
【特許請求の範囲】
【請求項１】
印刷対象データを用紙に印刷する印刷動作を行う作像手段と、
交換可能に装着され、前記印刷動作の繰り返しによって消耗される消耗品を有する消耗品ユニットが、純正品であるか非純正品であるかを判別する純正・非純正判別手段と、
画像形成装置が出荷される国又は地域を示す仕向け情報を記憶する記憶手段と、
前記純正・非純正判別手段により、装着された消耗品ユニットが非純正品であると判別された場合には、前記記憶手段に記憶された仕向け情報に基づいて、非純正品の消耗品ユニットを用いての前記作像手段による印刷動作を許可しあるいは制限する制御手段と、
を備えたことを特徴とする画像形成装置。
【請求項２】
印刷動作の制限が印刷の禁止である請求項１に記載の画像形成装置。
【請求項３】
印刷動作の制限が、実行可能な印刷モードの制限及び/又は印刷速度の制限である請求項１に記載の画像形成装置。
【請求項４】
非純正品の消耗品ユニットが装着された場合の作像手段による印刷動作について、仕向け情報に基づいて決定する、制限する又は許可する、のうちのいずれか一つを切り替え可能に設定する設定手段を備えている請求項１〜３のいずれかに記載の画像形成装置。
【請求項５】
交換可能に装着され、前記印刷動作の繰り返しによって消耗される消耗品を有する消耗品ユニットが、純正品であるか非純正品であるかを判別するステップと、
装着された消耗品ユニットが非純正品であると判別された場合には、記憶手段に記憶されている、画像形成装置が出荷される国や地域を示す仕向け情報に基づいて、非純正品の消耗品ユニットを用いての印刷動作を許可しあるいは制限するステップと、
を備えたことを特徴とする画像形成装置の印刷制御方法。
【請求項６】
交換可能に装着され、前記印刷動作の繰り返しによって消耗される消耗品を有する消耗品ユニットが、純正品であるか非純正品であるかを判別するステップと、
装着された消耗品ユニットが非純正品であると判別された場合には、記憶手段に記憶されている、画像形成装置が出荷される国や地域を示す仕向け情報に基づいて、非純正品の消耗品ユニットを用いての印刷動作を許可しあるいは制限するステップと、
を画像形成装置のコンピュータに実行させるための印刷制御プログラム。
【発明の詳細な説明】
【技術分野】
【０００１】
この発明は、複写機、プリンタあるいはこれらの機能が集約された多機能デジタル複合機であるＭＦＰ（Multi Function Peripherals）等の画像形成装置、画像形成装置の印刷制御方法及び印刷制御プログラムに関する。
【背景技術】
【０００２】
上記のような画像形成装置には、トナーカートリッジやイメージングユニット等の消耗品ユニットが使用されている。これらの消耗品ユニットは、印刷動作が行われるたびに消耗されるトナーや感光体ドラム等の消耗品を有しており、消耗品が全て消費されたりあるいは寿命に達すると、新たな消耗品ユニットと交換される。
【０００３】
このような画像形成装置の消耗品ユニットに関しては、画像形成装置の製造メーカーにより提供される純正品と、いわゆるサードパーティと称される第三者により提供される非純正品が存在する。なお、非純正品は、使い終えた純正品の消耗品ユニットに、第三者が製造した新たな消耗品が充填されあるいは新たな消耗品と交換されることにより製造される場合が多く、互換消耗品ユニットとも呼ばれている。
【０００４】
一般的に、第三者が製造した消耗品は品質にばらつきがある場合があり、また装着される画像形成装置とのマッチング等に問題がある場合もある。
【０００５】
そこで、従来、非純正品の消耗品ユニットが画像形成装置に装着された場合には印刷を禁止する技術が提供されている（特許文献１参照）。
【特許文献１】特開２００３−１９５７０５号公報
【発明の開示】
【発明が解決しようとする課題】
【０００６】
ところで、近年、画像形成装置が多くの国や地域に出荷されており、出荷先によって非純正品の消耗品ユニットに対するユーザの嗜好、法規制等は様々である。例えば、ユーザが、価格が高くても品質の安定した純正品を好む傾向が強い国や地域の場合には、当該国・地域の法規制の範囲内で非純正品の消耗品ユニットを用いての印刷動作の禁止等の制限を設定して出荷することが好ましい。ユーザが誤って非純正品を使用した場合に、ユーザに不利益を与える恐れがあるからである。一方、ユーザが品質に多少の不安定性があっても価格の安い製品を好む傾向が強い国や地域の場合には、非純正品の消耗品ユニットを用いての印刷動作を許可する設定をして出荷することが好ましい。ユーザの自由な選択を妨げないためである。
【０００７】
さらに、国や地域ごとのユーザの嗜好や法規制等の事情は、常に一定ではなく将来的に変化する可能性がある。
【０００８】
しかるに、特許文献１に記載の技術では、出荷先の国や地域にかかわらず、非純正品の消耗品ユニットが装着されると印刷動作が禁止される設定がなされており、非純正品の消耗品ユニットを用いての印刷動作を許可するか、制限するかについて、出荷先の国や地域毎に対応することができなかった。
【０００９】
本発明は、上記課題に鑑みてなされたものであり、非純正品の消耗品ユニットを用いての印刷動作を許可するか、制限するかについて、出荷先の国や地域毎に対応することが可能な画像形成装置、画像形成装置の印刷制御方法及び印刷制御プログラムを提供することを課題とする。
【課題を解決するための手段】
【００１０】
上記課題は、以下の手段によって解決される。
（１）印刷対象データを用紙に印刷する印刷動作を行う作像手段と、交換可能に装着され、前記印刷動作の繰り返しによって消耗される消耗品を有する消耗品ユニットが、純正品であるか非純正品であるかを判別する純正・非純正判別手段と、画像形成装置が出荷される国又は地域を示す仕向け情報を記憶する記憶手段と、前記純正・非純正判別手段により、装着された消耗品ユニットが非純正品であると判別された場合には、前記記憶手段に記憶された仕向け情報に基づいて、非純正品の消耗品ユニットを用いての前記作像手段による印刷動作を許可しあるいは制限する制御手段と、を備えたことを特徴とする画像形成装置。
（２）印刷動作の制限が印刷の禁止である前項１に記載の画像形成装置。
（３）印刷動作の制限が、実行可能な印刷モードの制限及び/又は印刷速度の制限である前項１に記載の画像形成装置。
（４）非純正品の消耗品ユニットが装着された場合の作像手段による印刷動作について、仕向け情報に基づいて決定する、制限する又は許可する、のうちのいずれか一つを切り替え可能に設定する設定手段を備えている前項１〜３のいずれかに記載の画像形成装置。
（５）交換可能に装着され、前記印刷動作の繰り返しによって消耗される消耗品を有する消耗品ユニットが、純正品であるか非純正品であるかを判別するステップと、装着された消耗品ユニットが非純正品であると判別された場合には、記憶手段に記憶されている、画像形成装置が出荷される国や地域を示す仕向け情報に基づいて、非純正品の消耗品ユニットを用いての印刷動作を許可しあるいは制限するステップと、を備えたことを特徴とする画像形成装置の印刷制御方法。
（６）交換可能に装着され、前記印刷動作の繰り返しによって消耗される消耗品を有する消耗品ユニットが、純正品であるか非純正品であるかを判別するステップと、装着された消耗品ユニットが非純正品であると判別された場合には、記憶手段に記憶されている、画像形成装置が出荷される国や地域を示す仕向け情報に基づいて、非純正品の消耗品ユニットを用いての印刷動作を許可しあるいは制限するステップと、を画像形成装置のコンピュータに実行させるための印刷制御プログラム。
【発明の効果】
【００１１】
前項（１）に記載の発明によれば、装着された消耗品ユニットが非純正品であると判別された場合には、出荷される国又は地域を示す仕向け情報に基づいて非純正品の消耗品ユニットを用いての印刷動作が許可されあるいは制限されるから、記憶手段に記憶される仕向け情報を変えることで、非純正品の消耗品ユニットを用いての印刷動作を許可するか、制限するかについての対応を、出荷先の国や地域毎に容易に行うことができる。
【００１２】
前項（２）に記載の発明によれば、装着された消耗品ユニットが非純正品であると判別された場合には、仕向け情報に基づいて、印刷が禁止される。
【００１３】
前項（３）に記載の発明によれば、装着された消耗品ユニットが非純正品であると判別された場合には、仕向け情報に基づいて、利用可能な印刷モードの制限及び/又は印刷速度の制限が行われる。
【００１４】
前項（４）に記載の発明によれば、設定手段により、非純正品の消耗品ユニットが装着された場合の印刷動作について、仕向け情報に基づいて決定する、制限する又は許可する、のうちのいずれか一つを切り替え可能に設定できるから、画像形成装置が出荷された国や地域の事情変化が生じた場合は、前記設定を切り替えることにより容易に対応することができる。
【００１５】
前項（５）に記載の発明によれば、装着された消耗品ユニットが非純正品であると判別された場合には、出荷される国又は地域を示す仕向け情報に基づいて非純正品の消耗品ユニットを用いての印刷動作が許可されあるいは制限されるから、記憶手段に記憶される仕向け情報を変えることで、非純正品の消耗品ユニットを用いての印刷動作を許可するか、制限するかについての対応を、出荷先の国や地域毎に容易に行うことができる。
【００１６】
前項（６）に記載の発明によれば、交換可能に装着された消耗品ユニットが、純正品であるか非純正品であるかを判別する処理、非純正品であると判別された場合には、記憶手段に記憶されている、画像形成装置が出荷される国や地域を示す仕向け情報に基づいて、非純正品の消耗品ユニットを用いての印刷動作を許可しあるいは制限する処理を、画像形成装置のコンピュータに実行させることができる。
【発明を実施するための最良の形態】
【００１７】
本発明の一実施形態を図面を用いて説明する。
【００１８】
図１は、この発明の一実施形態に係る画像形成装置の構成を示した図である。この実施形態では画像形成装置として多機能デジタル複合機であるＭＦＰ（Multi Function Peripherals）が使用されている。
【００１９】
図１に示すように、画像形成装置１は、スキャナ部２と、作像部３と、給紙部４と、排紙トレイ５等を備えている。
【００２０】
スキャナ部２は、ＣＣＤセンサ６を備え、自動原稿送り装置やプラテンガラス上（共に、図示せず）にセットされた原稿を読み取るものである。
【００２１】
作像部３は、スキャナ部２で読み取られた原稿の画像データや、外部から送信されてきたプリントデータ等を用紙に印字するという印字動作を行うものであり、この実施形態では、イメージングユニット１０Ｙ、１０Ｍ、１０Ｃ及び１０Ｋ、トナーカートリッジ８Ｙ、８Ｍ、８Ｃ及び８Ｋ、中間転写ベルト７、露光部１４、ポリゴンミラー１５、搬送ローラ１８、二次転写ローラ１９及び定着器２０等から構成されている。
【００２２】
イメージングユニット１０Ｙ、１０Ｍ、１０Ｃ及び１０Ｋは、静電潜像をトナーにより顕在化してトナー像を形成するためのものであり、イエロー（Ｙ）、マゼンタ（Ｍ）、シアン（Ｃ）、ブラック（Ｋ）の各色に対応してそれぞれ設けられている。各イメージングユニット１０Ｙ、１０Ｍ、１０Ｃ及び１０Ｋは、それぞれ、回転可能な感光体ドラム１１と、感光体ドラム１１を帯電させる帯電器１３と、感光体ドラム１１の表面に形成された静電潜像にトナーを付着させてトナー画像を形成する現像器１２等を備えており、これらの部品が１つのユニットとして構成されている。
【００２３】
前記イメージングユニット１０Ｙ、１０Ｍ、１０Ｃ及び１０Ｋに含まれる感光体ドラム１１等は、印刷動作が繰り返されることにより性能が徐々に劣化しやがては寿命に達する消耗品である。このため各イメージングユニット１０Ｙ、１０Ｍ、１０Ｃ及び１０Ｋは、前記消耗品が寿命に達すると新品のイメージングユニットと交換される消耗品ユニットであり、画像形成装置１に交換可能に装着されている。なお、交換は画像形成装置１の前扉２１を開くことにより行われる。また、各イメージングユニット１０Ｙ、１０Ｍ、１０Ｃ及び１０Ｋには、それぞれメモリチップ２２が備えられており、このメモリチップ２２には当該イメージングユニット１０Ｙ、１０Ｍ、１０Ｃ及び１０Ｋについての情報がそれぞれ登録されている。
【００２４】
トナーカートリッジ８Ｙ、８Ｍ、８Ｃ及び８Ｋは、それぞれイエロー（Ｙ）、マゼンタ（Ｍ）、シアン（Ｃ）、ブラック（Ｋ）の各色に対応したトナーを収容するものであり、各トナーを、対応するイメージングユニット１０Ｙ、１０Ｍ、１０Ｃ及び１０Ｋに供給する。
【００２５】
トナーカートリッジ８Ｙ、８Ｍ、８Ｃ及び８Ｋに収容された各色のトナーは、印刷動作が繰り返されることにより消費される消耗品である。このため前記の各トナーカートリッジ８Ｙ、８Ｍ、８Ｃ及び８Ｋは、前記トナーがなくなると新たなトナーカートリッジと交換される消耗品ユニットであり、画像形成装置１の前扉２１を開くことにより、交換可能に装着されている。また、各トナーカートリッジ８Ｙ、８Ｍ、８Ｃ及び８Ｋには、当該トナーカートリッジについての情報が登録されているメモリチップ９がそれぞれに備えられているが、詳しくは後述する。
【００２６】
中間転写ベルト７は、前記４個のイメージングユニット１０Ｙ、１０Ｍ、１０Ｃ及び１０Ｋの各感光体ドラム１１に形成された各色のトナー像を、重ね合わせ状態に一次転写されるものであり、駆動ローラ１６と従動ローラ１７とに掛け渡され、駆動ローラ１６の回転によって、一定方向に周回駆動される。
【００２７】
露光部１４は、各イメージングユニット１０Ｙ、１０Ｍ、１０Ｃ及び１０Ｋの帯電した感光体ドラム１１にレーザ光を照射することにより、感光体ドラム１１の表面に静電潜像を形成する。
【００２８】
ポリゴンミラー１５は、露光部１４から出射されたレーザ光を偏向して、感光体ドラム１１の表面を走査させる。
【００２９】
搬送ローラ１８は、給紙部４から供給された用紙を二次転写位置へと搬送するものである。また、二次転写ローラ１９は、前記搬送ローラ１８により搬送されてきた用紙に、前記中間転写ベルト７に一次転写されたトナー像を転写させるものであり、定着器２０は、用紙に転写されたトナー像を定着させるものである。
【００３０】
給紙部４は、用紙を種類毎に収納するものであり、印刷指示がなされると用紙が給紙部４から１枚ずつ取り出され、搬送ローラ１８によって二次転写位置へと搬送される。
【００３１】
排紙トレイ５には、定着器２０によりトナー像が定着された記録用紙が排出される。
【００３２】
図２は、画像形成装置１の電気的な構成を示すブロック図である。
【００３３】
図２に示すように、画像形成装置１は、前述したスキャナ部２、作像部３、前扉２１の他、ＭＦＰコントローラ部２６、エンジン制御部２７、記憶部２８、バックアップメモリ２９、操作パネル部３０及び前扉開閉センサ３１を備えている。
【００３４】
前記スキャナ部２，作像部３，前扉２１については、既に説明したので、再度の説明は省略する。
【００３５】
ＭＦＰコントローラ部２６は、画像形成装置１の全体を統括的に制御するものであり、ＣＰＵ２６１及びＲＯＭ２６２等を備えている。
【００３６】
ＣＰＵ２６１は、ＲＯＭ２６２に記憶されているプログラムを実行することにより、ＭＦＰコントローラ部２６が行う制御を実現する。具体的には、スキャナ部２、エンジン制御部２７、記憶部２８、操作パネル部３０等を制御するほか、この実施形態では次のような制御を行う。即ち、エンジン制御部２７からの情報に基づいて、装着されているトナーカートリッジ８Ｙ、８Ｍ、８Ｃ及び８Ｋやイメージングユニット１０Ｙ、１０Ｍ、１０Ｃ、１０Ｋ等の消耗品ユニットが純正品であるか、非純正品であるかの判別を行う。この実施形態において、純正品とは、画像形成装置の製造メーカーにより提供されたものをいい、非純正品とは、画像形成装置の製造メーカー以外の第三者により提供されたものをいう。
【００３７】
また、装着された消耗品ユニットの少なくとも１つが純正品でないと判別されると、ＣＰＵ２６１は、バックアップメモリ２９に記憶されている出荷先の国や地域を示す仕向け情報を読み出し、読み出した仕向け情報に基づいてエンジン制御部２７を介して作像部３に対する印刷動作を制御する。
【００３８】
ＲＯＭ２６２は、ＣＰＵ２６１が実行するプログラムやその他のデータを記憶する。このプログラムには、予め定められた一定の国や地域に対しては、非純正品のイメージングユニット１０Ｙ、１０Ｍ、１０Ｃ及び１０Ｋやトナーカートリッジ８Ｙ、８Ｍ、８Ｃ及び８Ｋ等の消耗品ユニットが装着されている場合に、その消耗品ユニットを用いての印刷動作を制限するアルゴリズムが含まれている。
【００３９】
エンジン制御部２７は、ＭＦＰコントローラ部２６との間で通信を行い、ＭＦＰコントローラ部２６からのコマンドに従って作像部３による印刷動作を制御する。また、この実施形態では、エンジン制御部２７は、前扉２１の開閉を検知する前扉開閉センサ３１から、前扉２１の開閉がなされた旨の信号（開閉検知信号）が送信されると、トナーカートリッジ８Ｙ、８Ｍ、８Ｃ及び８Ｋのメモリチップ９、さらにはイメージングユニット１０Ｙ、１０Ｍ、１０Ｃ、１０Ｋのメモリチップ２２と通信を行うことで後述する再生情報を読み出し、読み出した再生情報をＣＰＵ２６１に送出するものとなされている。
【００４０】
記憶部２８は、ハードディスクや不揮発性のメモリ等の記録媒体からなり、スキャナ部２によって読み取られた原稿の画像データやその他のデータ、各種プログラムなどを保存する。
【００４１】
バックアップメモリ２９は、前述した、画像形成装置１が出荷される国や地域を示す仕向け情報を記憶するものである。
【００４２】
操作パネル部３０は、ユーザが入力操作を行うとともに、各種の画面やメッセージなどをユーザに提供するためのものであり、テンキーやスタートキー等の複数のキーからなるキー入力部と、モード設定画面やメッセージ等を表示するタッチパネル式の表示部（いずれも図示せず）とを備えている。この実施形態では、トナーカートリッジ等の消耗品ユニットが非純正品である場合に、表示部に警告画面が表示されるものとなされている。
【００４３】
前扉開閉センサ３１は、前扉２１の開閉動作を検知するセンサであり、前扉２１の開閉動作を検知すると開閉検知信号をエンジン制御部２７に送信する。
【００４４】
次に、上述したトナーカートリッ８Ｙ、８Ｍ、８Ｃ及び８Ｋに備えられているメモリチップ９のアドレスマッピングについて、図３を参照して説明する。
【００４５】
メモリチップ９は、図３のメモリアドレスマッピング９１に示すように、アドレスの異なる３種類の記憶領域から構成され、それぞれ８ビットまでの情報の記憶が可能である。
【００４６】
アドレス００ｈ〜１Ｆｈの記憶領域は、製造時にデータが書き込まれるとそれ以降の書込みが禁止され、読み出しのみ可能な領域（ＲＯＭ領域）であり、当該トナーカートリッジの形式を示す機種識別コード、充填されているトナー色を示すカラー識別コード及び充填されているトナー量を示す充填量識別コード等が記憶されている。
【００４７】
アドレス２０ｈ〜２Ｆｈの記憶領域は、画像形成装置１が自由に書き込み可能な領域（ＲＡＭ領域）であり、主にトナー供給スクリュー（図示せず）の回転数など、印刷動作中の状態に関する一時的な情報が書き込まれる。
【００４８】
アドレス３０ｈ〜３Ｆｈの記憶領域は、画像形成装置１が一度だけ書き換え可能な領域（ＯＴＰ領域）であり、トナーカートリッジ８Ｙ、８Ｍ、８Ｃ又は８Ｋが過去に、収容されているトナーが消耗されて空になったことがあるか否かを示す再生情報が書き込まれる。この再生情報はトナーカートリッジが過去に１度も空になっていなければ全てのビットが「１」に設定される一方、１度でも空になると画像形成装置１によって全てのビットが「０」に書き換えられる構成となされている。この実施形態では、画像形成装置１は、この再生情報を読み取り、全てのビットが「１」であった場合は、当該トナーカートリッジは純正品であると判定し、また全てのビットが「０」であった場合には、一旦空になったトナーカートリッジに、第三者により製造されたトナーが充填されて再装着されたものと考えられることから、当該トナーカートリッジは非純正品であると判定する。なお、イメージングユニット１０Ｙ、１０Ｍ、１０Ｃ及び１０Ｋに備えられているメモリチップ２２のメモリマッピングについても、トナーカートリッジのメモリチップ９の場合と同じなので、ここでは説明を省略する。
［画像形成装置１の動作］
次に、図１に示した画像形成装置１の動作を説明する。この実施形態では、ユーザが前扉２１の開閉を行うと、画像形成装置１は消耗品ユニットの交換が行われたと判断して、装着された消耗品ユニットが純正品であるか非純正品であるかの判別を行う。そして、装着された消耗品ユニットが非純正品であると判別された場合には、バックアップメモリ２９に記憶されている仕向け情報を読み出し、この仕向け情報に基づいて印刷動作の許可/禁止を決定するものとなされている。
【００４９】
なお、以下の例ではトナーカートリッジ８Ｙ、８Ｍ、８Ｃ及び８Ｋについてのみ、純正品であるか非純正品であるかの判別を行うものとして説明するが、イメージングユニット１０Ｙ、１０Ｍ、１０Ｃ及び１０Ｋについてのみ判別を行っても良いし、トナーカートリッジとイメージングユニットの両方について判別を行うものとしても良い。
【００５０】
図４は、ユーザにより前扉２１の開閉が行われてから、印刷動作の許可/禁止を決定するまでの動作を示すフローチャートである。
【００５１】
ユーザが前扉２１の開閉を行うと、その開閉動作が前扉開閉センサ３１により検知され（ステップＳ５０）、開閉検知信号がエンジン制御部２７に送信される。開閉検知信号を受信したエンジン制御部２７はトナーカートリッジ８Ｙ、８Ｍ、８Ｃ及び８Ｋのメモリチップ９に記憶されている再生情報を読み出し（ステップＳ５１）、ＭＦＰコントローラ部２６のＣＰＵ２６１に再生情報を送出する（ステップＳ５２）。
【００５２】
再生情報を受信したＣＰＵ２６１は、ＲＯＭ２６２等の記録媒体に格納されている制御プログラムに従って次のような動作を行う。即ち、まず、再生情報に基づいて、トナーカートリッジ８Ｙ、８Ｍ、８Ｃ及び８Ｋが純正品か非純正品かの判別を行うと共に、全てが純正品であるか否かの判定を行う（ステップＳ５３）。
【００５３】
全てか純正品であると判定された場合（ステップＳ５３でＹＥＳ）、ステップＳ５８に進んで印刷動作許可を決定する。
【００５４】
一方、各トナーカートリッジのうち少なくとも一つが非純正品である場合（ステップＳ５３でＮＯ）、操作パネル部３０の表示部にその旨を示す警告画面を表示させ（ステップＳ５４）。
【００５５】
これにより、ユーザは非純正のトナーカートリッジが装着されたことを知ることができる。
【００５６】
次に、ＣＰＵ２６１は、バックアップメモリ２９から仕向け情報を読み出し（ステップＳ５５）、この仕向け情報に示される国または地域が、非純正品のトナーカートリッジを使用しての印刷動作が禁止されている国または地域か否かの判定を行う（ステップＳ５６）。
【００５７】
印刷動作が禁止されている国または地域でない場合（ステップＳ５６でＮＯ）、ステップＳ５８に進んで印刷動作許可を決定する。
【００５８】
印刷動作が禁止されている国または地域である場合（ステップＳ５６でＹＥＳ）、ステップＳ５７に進んで印刷動作禁止を決定する。
【００５９】
印刷動作の許可または禁止の決定がなされると、エンジン制御部２７はその決定に従って作像部３を制御し、印刷動作が実行されあるいは禁止される。
【００６０】
このように、この実施形態によれば、装着されたトナーカートリッジが非純正品であると判別された場合には、バックアップメモリ２９に記憶された仕向け情報に基づいて、非純正品のトナーカートリッジを用いての印刷動作が許可されあるいは禁止されるから、バックアップメモリ２９に記憶される仕向け情報を変えることで、非純正品の消耗品ユニットを用いての印刷動作を許可するのか、制限するのかを、出荷先の国や地域毎に容易に対応することができる。
【００６１】
しかも、仕向け情報に基づいてトナーカートリッジが非純正品である場合の印刷動作が決定されるため、生産時に、それぞれの国や地域毎に特別な設定をする必要がないので、製造コストの増加を防止することもできる。
（実施形態２）
次に、本発明の第２実施形態を説明する。この実施形態では、消耗品ユニットが非純正品であると判別された場合に、仕向け情報に基づいて印刷動作を制限しまたは許可する設定と、仕向け情報にかかわらず一律に印刷動作を制限する設定と、一律に印刷動作を許可する設定を、例えばサービスマンなどが切り替え可能に行うことができるものとなされている。
【００６２】
図５は、第２実施形態に係る画像形成装置１の電気的構成を示すブロック図である。この実施形態では、設定スイッチ３２が設けられている。この設定スイッチ３２は、消耗品ユニットが非純正品であると判別された場合の作像部３による印刷動作を設定するものである。具体的には、仕向け情報に基づいて決定する（第１設定）、制限する（第２設定）又は許可する（第３設定）、の３つの設定のうちのいずれか一つを切り替え可能に設定する。
【００６３】
そして、ＣＰＵ２６１は、設定スイッチ３２がいずれの設定となされているかを判断して、設定に応じた処理を行うものとなされている。
【００６４】
なお、設定スイッチ３２以外の構成要素については図２に示した構成要素と同じであるので、同一の構成要素については同一の符号を付し詳細な説明は省略する。
［画像形成装置１の動作］
次に、第２実施形態に係る画像形成装置１の動作を説明する。
【００６５】
なお、以下の例ではトナーカートリッジ８Ｙ、８Ｍ、８Ｃ及び８Ｋについてのみ、純正品であるか非純正品であるかの判別を行うものとして説明するが、イメージングユニット１０Ｙ、１０Ｍ、１０Ｃ及び１０Ｋについてのみ判別を行っても良いし、トナーカートリッジとイメージングユニットの両方について判別を行うものとしても良い。
【００６６】
図６は、ユーザにより前扉２１の開閉が行われてから、印刷動作の許可/禁止を決定するまでの動作を示すフローチャートである。
【００６７】
この実施形態では、サービスマンなどにより、設定スイッチ３２を用いて前記第１〜第３の設定のうちのいずれかの設定が予めなされている。
【００６８】
ユーザが前扉２１の開閉を行うと、その開閉動作が前扉開閉センサ３１により検知され（ステップＳ８０）、開閉検知信号がエンジン制御部２７に送信される。開閉検知信号を受信したエンジン制御部２７はトナーカートリッジ８Ｙ、８Ｍ、８Ｃ及び８Ｋのメモリチップ９に記憶されている再生情報を読み出し（ステップＳ８１）、ＭＦＰコントローラ部２６のＣＰＵ２６１に再生情報を送出する（ステップＳ８２）。
【００６９】
再生情報を受信したＣＰＵ２６１は、ＲＯＭ２６２等の記録媒体に格納されている制御プログラムに従って次のような動作を行う。即ち、まず、再生情報に基づいて、トナーカートリッジ８Ｙ、８Ｍ、８Ｃ及び８Ｋが純正品か非純正品かの判別を行うと共に、全てが純正品であるか否かの判定を行う（ステップＳ８３）。
【００７０】
全てか純正品であると判定された場合（ステップＳ５３でＹＥＳ）、ステップＳ９０に進んで印刷動作許可を決定する。
【００７１】
一方、各トナーカートリッジのうち少なくとも一つが非純正品である場合（ステップＳ８３でＮＯ）、操作パネル部３０の表示部にその旨を示す警告画面を表示させ（ステップＳ８４）。
【００７２】
これにより、ユーザは非純正のトナーカートリッジが装着されたことを知ることができる。
【００７３】
次に、ＣＰＵ２６１は、設定スイッチ３２による設定内容を読み出し（ステップＳ８５）、その内容が、仕向け情報に基づいて決定する（第１設定）、制限する（第２設定）又は許可する（第３設定）のいずれであるかを判断する（ステップＳ８６）。
【００７４】
第１設定である場合（ステップＳ８６で「第１設定」）、バックアップメモリ２９から仕向け情報を読み出し（ステップＳ８７）、この仕向け情報に示される国または地域が、非純正品のトナーカートリッジを使用しての印刷動作が禁止されている国または地域か否かの判定を行う（ステップＳ８９）。
【００７５】
印刷動作が禁止されている国または地域でない場合（ステップＳ８９でＮＯ）、ステップＳ９０に進んで印刷動作許可を決定する。
【００７６】
印刷動作が禁止されている国または地域である場合（ステップＳ８９でＹＥＳ）、ステップＳ８９に進んで印刷動作禁止を決定する。
【００７７】
一方、ステップＳ８６で第２設定であると判断された場合（ステップＳ８６で「第２設定」）、ステップＳ８９に進み、仕向け情報に関係なく印刷動作禁止を決定する。
【００７８】
また、ステップＳ８６で第３設定であると判断された場合（ステップＳ８６で「第３設定」）、ステップＳ９０に進み、仕向け情報に関係なく印刷動作許可を決定する。
【００７９】
印刷動作の許可または禁止の決定がなされると、エンジン制御部２７はその決定に従って作像部３を制御し、印刷動作が実行されあるいは禁止される。
【００８０】
このように、この実施形態によれば、画像形成装置１に非純正のトナーカートリッジが装着された際の動作を、設定スイッチ３２によって切り替えることが可能となる。これにより、出荷先の国や地域の事情変化等に対して、非純正のトナーカートリッジが装着された際の印刷動作の許可/禁止の切り替えを行うことで、容易に対応することができる。
【００８１】
なお、上記の設定を設定スイッチ３２によることなく、操作パネル部３０の画面上での操作に基づいてソフトウェアにより行うものとしても良い。
【００８２】
以上、本発明の第１及び第２実施形態を説明したが、本発明はこれら実施形態に限定されることはない。例えば、トナーカートリッジ内のトナーが過去に１度でも空になったか否かを基準として、トナーカートリッジが純正品か非純正品かの判別を行うものとしたが、これに限定されず純正品と非純正品とを判別できるのであれば任意の基準を用いても良い。
【００８３】
また、第１及び第２実施形態では、前扉２１の開閉時に消耗品ユニットが純正品かどうかの判別とそれに基づく制御を行う構成としたが、判別及び制御のタイミングはこれに限定されず、例えば消耗品ユニットが実際に装着された時に行う構成としても良い。
【００８４】
また、第１及び第２実施形態では、非純正品の消耗品ユニットに対する印刷動作の制限として、印刷を禁止するものとしたが、これに限定されず、例えば高画質モードでの印刷禁止、両面モードでの印刷禁止、非純正紙への印刷禁止等、実行可能な印刷モードを制限しても良いし、印字スピードを制限する構成であっても良い。
【００８５】
また、第１実施形態及び第２実施形態では、非純正の消耗品ユニットが装着されたと判別された場合に、仕向け情報等が読み出された。しかし、これに限定されず、例えば、まず仕向け情報等を読み出し、当該仕向け情報で示される国または地域において、非純正品の消耗品ユニットを用いての印刷動作が禁止されていると判定された場合に、再生情報を読み出して装着された消耗品ユニットが純正品であるか否かの判別を行う構成としても良い。
【００８６】
また、前記実施形態では、画像形成装置としてＭＦＰを例示したが、本発明は、消耗品ユニットを使用する画像形成装置であれば、複写機やプリンタなどの他の画像形成装置にも適用可能なことは言うまでもない。
【図面の簡単な説明】
【００８７】
【図１】本発明の一実施形態に係る画像形成装置の概略構成を示す図である。
【図２】画像形成装置の要部の電気的構成を示すブロック図である。
【図３】本実施形態で使用されるトナーカートリッジに備えられているメモリチップのアドレスマッピングを示す図である。
【図４】第１実施形態に係る画像形成装置の動作を説明するためのフローチャートである。
【図５】本発明の第２実施形態に係る画像形成装置の要部の電気的構成を示すブロック図である。
【図６】第２実施形態に係る画像形成装置の動作を説明するためのフローチャートである。
【符号の説明】
【００８８】
１・・・画像形成装置
２・・・スキャナ部
３・・・作像部
４・・・給紙部
８Ｙ、８Ｍ、８Ｃ、８Ｋ・・・トナーカートリッジ
９・・・メモリチップ
１０Ｙ、１０Ｍ、１０Ｃ、１０Ｋ・・・イメージングカートリッジ
２１・・・前扉
２２・・・メモリチップ
２６・・・ＭＦＰコントローラ部
２７・・・エンジン制御部
２８・・・記憶部
２９・・・バックアップメモリ
３０・・・操作パネル部
３１・・・前扉開閉センサ
３２・・・設定スイッチ
２６１・・・ＣＰＵ
２６２・・・ＲＯＭ
【図１】
2008268454.tif 000003
【図２】
2008268454.tif 000004
【図３】
2008268454.tif 000005
【図４】
2008268454.tif 000006
【図５】
2008268454.tif 000007
【図６】
2008268454.tif 000008